(57)【要約】【課題】直交する２つの軸の両方に対して表示面が湾曲しているように見せることができる表示装置を提供すること。【解決手段】表示装置は、第１軸に沿う方向から見て湾曲しているカバー材と、カバー材の一方側に配置される表示パネルと、を備える。カバー材は、表示パネル側の表面である第１表面と、表示パネルとは反対側の表面である第２表面とを備える。第１軸に沿う方向から見てカバー材の両端を通る直線に沿う軸を第２軸とすると、第２軸に対して直交する断面において、第１表面は直線を描き、第２表面の少なくとも一部は曲線を描く。【選択図】図１
2018155965.tif 000002
【特許請求の範囲】
【請求項１】
第１軸に沿う方向から見て湾曲しているカバー材と、
前記カバー材の一方側に配置される表示パネルと、
を備え、
前記カバー材は、前記表示パネル側の表面である第１表面と、前記表示パネルとは反対側の表面である第２表面とを備え、
前記第１軸に沿う方向から見て前記カバー材の両端を通る直線に沿う軸を第２軸とすると、前記第２軸に対して直交する断面において、前記第１表面は直線を描き、前記第２表面の少なくとも一部は曲線を描く
表示装置。
【請求項２】
前記第２軸に対して直交する平面で前記カバー材を切った断面形状は一定である
請求項１に記載の表示装置。
【請求項３】
前記第２軸に対して直交する断面において、前記第１軸に沿う方向における前記第２表面の両端は、前記第１軸に沿う方向における前記第２表面の中央に対して前記表示パネル側に位置する
請求項１又は２に記載の表示装置。
【請求項４】
前記第２表面側から見て、前記第２軸に沿う方向の両端が、前記第２軸に沿う方向の中央に対して手前に位置する
請求項１から３のいずれか１項に記載の表示装置。
【発明の詳細な説明】
【技術分野】
【０００１】
本発明は、表示装置に関する。
【背景技術】
【０００２】
湾曲した表面を有する表示装置が知られている。例えば特許文献１には、表面が湾曲したカバーガラスを採用した技術が記載されている。特に車載の表示装置については、表面が湾曲していることにより、自動車の曲面状の内装と表示装置の表面とが滑らかに繋がるという利点がある。
【先行技術文献】
【特許文献】
【０００３】
【特許文献１】特開２０１４−９２４２２号公報
【発明の概要】
【発明が解決しようとする課題】
【０００４】
ところで近年、表示装置に対してより特徴的なデザインが求められることがある。例えば、第１軸まわりに湾曲し且つ第１軸に対して直交する第２軸まわりにも湾曲している表示面が求められることがある。しかしながら、表示パネルを直交する２つの軸の両方に対して湾曲させることは難しい。
【０００５】
本発明は、直交する２つの軸の両方に対して表示面が湾曲しているように見せることができる表示装置を提供することを目的とする。
【課題を解決するための手段】
【０００６】
本発明の一態様の表示装置は、第１軸に沿う方向から見て湾曲しているカバー材と、前記カバー材の一方側に配置される表示パネルと、を備え、前記カバー材は、前記表示パネル側の表面である第１表面と、前記表示パネルとは反対側の表面である第２表面とを備え、前記第１軸に沿う方向から見て前記カバー材の両端を通る直線に沿う軸を第２軸とすると、前記第２軸に対して直交する断面において、前記第１表面は直線を描き、前記第２表面の少なくとも一部は曲線を描く。
【図面の簡単な説明】
【０００７】
【図１】図１は、実施形態１に係る表示装置の分解斜視図である。
【図２】図２は、実施形態１に係る表示装置が搭載された車両の内観図である。
【図３】図３は、実施形態１に係るカバー材の斜視図である。
【図４】図４は、実施形態１に係るカバー材の正面図である。
【図５】図５は、実施形態１に係るカバー材の平面図である。
【図６】図６は、実施形態１に係るカバー材の右側面図である。
【図７】図７は、図５におけるＡ−Ａ断面図である。
【図８】図８は、実施形態１に係るカバー材の製造方法を説明するための模式図である。
【図９】図９は、実施形態２に係るカバー材の斜視図である。
【図１０】図１０は、実施形態２に係るカバー材の平面図である。
【図１１】図１１は、実施形態２に係るカバー材の右側面図である。
【図１２】図１２は、図１０におけるＢ−Ｂ断面図である。
【図１３】図１３は、実施形態３に係る表示装置の分解斜視図である。
【図１４】図１４は、実施形態３に係るカバー材の斜視図である。
【図１５】図１５は、実施形態３に係るカバー材の平面図である。
【図１６】図１６は、実施形態３に係るカバー材の右側面図である。
【図１７】図１７は、図１５におけるＣ−Ｃ断面図である。
【発明を実施するための形態】
【０００８】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（実施形態１）
図１は、実施形態１に係る表示装置の分解斜視図である。図２は、実施形態１に係る表示装置が搭載された車両の内観図である。図１に示すように、実施形態１に係る表示装置１０は、表示パネル５と、接着部材３と、カバー材１と、を備える。カバー材１が、接着部材３を介して表示パネル５に取り付けられている。例えば表示装置１０は、図２に示すように車両のダッシュボード１００に取り付けられる。
【００１０】
表示パネル５は、例えば液晶パネルである。表示パネル５の裏側にはバックライトが設けられる。表示パネル５は、ガラス等で形成された第１基板及び第２基板と、第１基板及び第２基板に挟まれた液晶層と、を備える。表示パネル５には、例えばスピードメーター、タコメーター、燃料計及び水温計等が表示される。例えば、表示パネル５は正面から見て矩形である。表示パネル５は、図１に示すように短辺に平行な軸まわりに湾曲している。すなわち、表示パネル５は短辺方向から見て湾曲している。視認者から見て、表示パネル５の短辺方向の両端が短辺方向の中央より手前に位置する。
【００１１】
以下の説明において、ＸＹＺ直交座標系が用いられる。Ｘ軸は、表示パネル５の短辺に平行な軸である。Ｙ軸は、Ｘ軸に沿う方向から見て表示パネル５の両端を通る直線に平行な軸である。Ｚ軸は、Ｘ軸及びＹ軸の両方に対して直交する軸である。Ｘ軸に沿う方向はＸ方向と記載され、Ｙ軸に沿う方向はＹ方向と記載され、Ｚ軸に沿う方向はＺ方向と記載される。
【００１２】
接着部材３は、表示パネル５にカバー材１を接合するための部材である。接着部材３は、例えば矩形のシート状に形成されている。接着部材３は、表示パネル５とカバー材１との間に配置される。接着部材３は、表示パネル５に重ねられる。接着部材３は、例えば光学粘着剤を含む。接着部材３は、表示パネル５から放たれる光をカバー材１側に透過させる。
【００１３】
図３は、実施形態１に係るカバー材の斜視図である。図４は、実施形態１に係るカバー材の正面図である。図５は、実施形態１に係るカバー材の平面図である。図６は、実施形態１に係るカバー材の右側面図である。図７は、図５におけるＡ−Ａ断面図である。
【００１４】
カバー材１は、表示パネル５を保護する部材である。カバー材１は、例えばガラスで形成されている。カバー材１は、表示パネル５の一方側に配置され、接着部材３を介して表示パネル５に取り付けられる。カバー材１は、図４に示すように正面から見て矩形である。カバー材１は、Ｘ軸まわりに湾曲している。すなわち、カバー材１は、図５に示すようにＸ方向から見て湾曲している。表示パネル５から放たれる光は、カバー材１を透過したあと視認者に届く。視認者からはカバー材１の表面に沿った形で映像が表示されているように見える。
【００１５】
図３に示すように、カバー材１は、第１表面１１と、第２表面１２と、を備える。第１表面１１は、表示パネル５側の表面であって、表示パネル５に沿っている。第１表面１１は、図５に示すようにＸ方向から見て、カバー材１に対して表示パネル５とは反対側に位置する点を中心とした円弧を描く。第２表面１２は、表示パネル５とは反対側の表面である。すなわち、第２表面１２は、第１表面１１の裏面である。第２表面１２は、図５に示すようにＸ方向から見て、カバー材１に対して表示パネル５とは反対側に位置する点を中心とした円弧を描く。図５に示すように、Ｘ方向から見て、第２表面１２が描く円弧の曲率は第１表面１１が描く円弧の曲率に略等しい。
【００１６】
Ｙ軸に対して直交する平面でカバー材１を切った断面形状は、Ｙ方向の位置に関わらず一定である。図７に示すように、Ｙ軸に対して直交する断面において第１表面１１はＸ軸に平行な直線を描く。図７に示す断面において、第２表面１２は曲線を描く。具体的には、図７に示す断面において、第２表面１２はカバー材１に対して表示パネル５側に位置する点を中心とした円弧を描く。すなわち、第２表面１２のＹ方向の両端は、第２表面１２のＹ方向の中央より表示パネル５側に位置する。Ｙ方向の中央における第１表面１１から第２表面１２までの距離Ｔ１は、Ｙ方向の端部における第１表面１１から第２表面１２までの距離Ｔ２より大きい。
【００１７】
上述したように、Ｘ方向から見てカバー材１が湾曲し、且つ図７に示す断面において第２表面１２が曲線を描いている。このため、第２表面１２の全体は、Ｘ方向から見た場合の第１表面１１が描く曲線（図５に示す曲線）まわりに湾曲しているともいえる。
【００１８】
図８は、実施形態１に係るカバー材の製造方法を説明するための模式図である。図８に示すように、カバー材１は、原板９をＸ軸まわりに曲げることによって形成される。Ｘ方向から見て原板９の外形は直線状である。原板９は、第１表面９１と、第２表面９２と、を備える。第１表面９１は平面である。第２表面９２は、Ｙ軸まわりに湾曲した曲面である。
【００１９】
なお、表示装置１０は、必ずしも車両に搭載されなくてもよく、携帯端末等のその他の電子機器に適用されてもよい。また、表示装置１０が車両に搭載される場合でも、表示装置１０が表示する映像は車両の計器類に限らず、例えばカーナビゲーションの地図等であってもよい。
【００２０】
なお、表示パネル５は、有機ＥＬパネルであってもよい。表示パネル５が有機ＥＬパネルである場合、バックライトは必要ない。また表示パネル５は、タッチ検出機能を有していてもよい。すなわち、表示パネル５の内部又は表示パネル５の表面上にタッチパネルが設けられてもよい。
【００２１】
なお、カバー材１は、必ずしもガラスで形成されていなくてもよい。カバー材１は、例えば合成樹脂で形成されていてもよい。また、Ｙ軸に対して直交する断面において第２表面１２は、必ずしも図７に示すようなＸ方向の一端から他端に亘る円弧でなくてもよい。Ｙ軸に対して直交する断面において、第２表面１２の少なくとも一部が曲線を描いていればよい。例えば、Ｙ軸に対して直交する断面において、第２表面１２の一部が曲線を描き、且つ第２表面１２のその他の一部が直線を描いていてもよい。例えば、Ｙ軸に対して直交する断面において、第２表面１２の一部が第１の曲率を有する曲線を描き、且つ第２表面１２のその他の一部が第１の曲率とは異なる第２の曲率を有する曲線を描いていてもよい。
【００２２】
以上で説明したように、表示装置１０は、第１軸（Ｘ軸）に沿う方向（Ｘ方向）から見て湾曲しているカバー材１と、カバー材１の一方側に配置される表示パネル５と、を備える。カバー材１は、表示パネル５側の表面である第１表面１１と、表示パネル５とは反対側の表面である第２表面１２とを備える。第１軸（Ｘ軸）に沿う方向（Ｘ方向）から見てカバー材１の両端を通る直線に沿う軸を第２軸（Ｙ軸）とすると、第２軸（Ｙ軸）に対して直交する断面において、第１表面１１は直線を描き、第２表面１２の少なくとも一部は曲線を描く。
【００２３】
これにより、視認者から見ると、カバー材１の全体が第２軸（Ｙ軸）まわりに湾曲しているように見える。その結果、表示パネル５及びカバー材１が第１軸（Ｘ軸）まわりに湾曲すると共に第２軸（Ｙ軸）まわりにも湾曲しているように見える。したがって、表示装置１０は、直交する２つの軸の両方に対して表示面が湾曲しているように見せることができる。
【００２４】
また、第２軸（Ｙ軸）に対して直交する平面でカバー材１を切った断面形状は一定である。これにより、表示装置１０が表示する映像に歪みが生じにくくなる。
【００２５】
また、第２軸（Ｙ軸）に対して直交する断面において、第１軸（Ｘ軸）に沿う方向（Ｘ方向）における第２表面１２の両端は、第１軸（Ｘ軸）に沿う方向（Ｘ方向）における第２表面１２の中央に対して表示パネル５側に位置する。これにより、表示装置１０は、映像が視認者側に突出しているように見せることができる。
【００２６】
また、第２表面１２側から見て、第２軸（Ｙ軸）に沿う方向（Ｙ方向）の両端が、第２軸（Ｙ軸）に沿う方向（Ｙ方向）の中央に対して手前に位置する。これにより、車両の内装に取り付けられる場合に、表示装置１０と内装とが滑らかに繋がる。
【００２７】
（実施形態２）
図９は、実施形態２に係るカバー材の斜視図である。図１０は、実施形態２に係るカバー材の平面図である。図１１は、実施形態２に係るカバー材の右側面図である。図１２は、図１０におけるＢ−Ｂ断面図である。
【００２８】
実施形態２に係るカバー材１Ａは、図９に示すようにＸ軸まわりに湾曲している。すなわち、カバー材１Ａは、図１０に示すようにＸ方向から見て湾曲している。カバー材１Ａは、第２表面１２Ａを備える。図１０に示すように、第２表面１２Ａは、Ｘ方向から見てカバー材１Ａに対して表示パネル５とは反対側に位置する点を中心とした円弧を描く。Ｘ方向から見て、第２表面１２Ａが描く円弧の曲率は、第１表面１１が描く円弧の曲率に略等しい。
【００２９】
Ｙ軸に対して直交する平面でカバー材１Ａを切った断面形状は、Ｙ方向の位置に関わらず一定である。図１２に示す断面において、第２表面１２Ａは曲線を描く。具体的には、図１２に示す断面において第２表面１２Ａは、カバー材１Ａに対して表示パネル５とは反対側に位置する点を中心とした円弧を描く。すなわち、第２表面１２ＡのＹ方向の中央は、第２表面１２ＡのＹ方向の両端より表示パネル５側に位置する。Ｙ方向の中央における第１表面１１から第２表面１２Ａまでの距離Ｔ１Ａは、Ｙ方向の端部における第１表面１１から第２表面１２Ａまでの距離Ｔ２Ａより小さい。
【００３０】
上述したように、Ｘ方向から見てカバー材１Ａが湾曲し、且つ図１２に示す断面において第２表面１２Ａが曲線を描いている。このため、第２表面１２Ａの全体は、Ｘ方向から見た場合の第１表面１１が描く曲線（図１０に示す曲線）まわりに湾曲しているともいえる。
【００３１】
（実施形態３）
図１３は、実施形態３に係る表示装置の分解斜視図である。図１４は、実施形態３に係るカバー材の斜視図である。図１５は、実施形態３に係るカバー材の平面図である。図１６は、実施形態３に係るカバー材の右側面図である。図１７は、図１５におけるＣ−Ｃ断面図である。
【００３２】
実施形態３に係る表示装置１０Ｂは、表示パネル５Ｂと、カバー材１Ｂと、を備える。表示パネル５Ｂは、図１３に示すようにＸ軸まわりに湾曲している。すなわち、表示パネル５Ｂは、Ｘ方向から見て湾曲している。視認者から見て、表示パネル５Ｂの短辺方向の中央が短辺方向の端部より手前に位置する。
【００３３】
カバー材１Ｂは、図１４に示すようにＸ軸まわりに湾曲している。すなわち、カバー材１Ｂは、図１５に示すようにＸ方向から見て湾曲している。カバー材１Ｂは、第１表面１１Ｂと、第２表面１２Ｂと、を備える。第１表面１１Ｂは、表示パネル５Ｂ側の表面であって、表示パネル５Ｂに沿っている。第１表面１１Ｂ及び第２表面１２Ｂは、図１５に示すようにＸ方向から見てカバー材１Ｂに対して表示パネル５Ｂ側に位置する点を中心とした円弧を描く。Ｘ方向から見て、第２表面１２Ｂが描く円弧の曲率は第１表面１１Ｂが描く円弧の曲率に略等しい。
【００３４】
Ｙ軸に対して直交する平面でカバー材１Ｂを切った断面形状は、Ｙ方向の位置に関わらず一定である。図１７に示すように、Ｙ軸に対して直交する断面において第１表面１１ＢはＸ軸に平行な直線状である。図１７に示す断面において、第２表面１２Ｂは曲線を描く。具体的には、図１７に示す断面において第２表面１２Ｂは、カバー材１Ｂに対して表示パネル５Ｂ側に位置する点を中心とした円弧を描く。すなわち、第２表面１２ＢのＹ方向の中央は、第２表面１２ＢのＹ方向の端部より表示パネル５Ｂ側に位置する。Ｙ方向の中央における第１表面１１Ｂから第２表面１２Ｂまでの距離Ｔ１Ｂは、Ｙ方向の端部における第１表面１１Ｂから第２表面１２Ｂまでの距離Ｔ２Ｂより大きい。
【００３５】
上述したように、Ｘ方向から見てカバー材１Ｂが湾曲し、且つ図１７に示す断面において第２表面１２Ｂが曲線を描いている。このため、第２表面１２Ｂの全体は、Ｘ方向から見た場合の第１表面１１Ｂが描く曲線（図１５に示す曲線）まわりに湾曲しているともいえる。
【００３６】
また、本実施形態において述べた態様によりもたらされる他の作用効果について本明細書記載から明らかなもの、又は当業者において適宜想到し得るものについては、当然に本発明によりもたらされるものと解される。
【符号の説明】
【００３７】
１、１Ａ、１Ｂ  カバー材
１０、１０Ｂ  表示装置
１００  ダッシュボード
１１、１１Ｂ  第１表面
１２、１２Ａ、１２Ｂ  第２表面
３  接着部材
５、５Ｂ  表示パネル
９  原板
９１  第１表面
９２  第２表面
【図１】
2018155965.tif 000003
【図２】
2018155965.tif 000004
【図３】
2018155965.tif 000005
【図４】
2018155965.tif 000006
【図５】
2018155965.tif 000007
【図６】
2018155965.tif 000008
【図７】
2018155965.tif 000009
【図８】
2018155965.tif 000010
【図９】
2018155965.tif 000011
【図１０】
2018155965.tif 000012
【図１１】
2018155965.tif 000013
【図１２】
2018155965.tif 000014
【図１３】
2018155965.tif 000015
【図１４】
2018155965.tif 000016
【図１５】
2018155965.tif 000017
【図１６】
2018155965.tif 000018
【図１７】
2018155965.tif 000019